(57)【要約】【課題】  表示画像において十分なカラー濃度、白黒濃度および十分な色調再現性が得られて良好な画像の表示が行われる画像表示用パネルおよび画像表示方法の提供。【解決手段】  画像表示用パネルは、各々、イエロー粒子およびホワイト粒子よりなる電界が作用することにより移動可能な粒子群が封入されたイエローセル、マゼンタ粒子およびホワイト粒子よりなる電界が作用することにより移動可能な粒子群が封入されたマゼンタセル、並びにシアン粒子およびホワイト粒子よりなる電界が作用することにより移動可能な粒子群が封入されたシアンセルのカラーセルを含有するピクセルが黒色の背面板上に並列に配置され、各カラーセルにおいて、Ｘ軸方向に伸びる複数の上面電極がＹ軸方向に離間して並列に配置されると共に、Ｙ軸方向に伸びる複数の下面電極がＸ軸方向に離間して並列に配置されていることを特徴とする。【選択図】  図３
2008233190.tif 000002
【特許請求の範囲】
【請求項１】
各々、イエロー粒子およびホワイト粒子よりなる電界が作用することにより移動可能な粒子群が封入されたイエローセル、マゼンタ粒子およびホワイト粒子よりなる電界が作用することにより移動可能な粒子群が封入されたマゼンタセル、並びにシアン粒子およびホワイト粒子よりなる電界が作用することにより移動可能な粒子群が封入されたシアンセルのカラーセルを含有するピクセルが黒色の背面板上に並列に配置され、
各カラーセルにおいて、Ｘ軸方向に伸びる複数の上面電極がＹ軸方向に離間して並列に配置されると共に、Ｙ軸方向に伸びる複数の下面電極がＸ軸方向に離間して並列に配置されていることを特徴とする画像表示用パネル。
【請求項２】
各カラーセル内における粒子群の体積占有率が５〜５０体積％であることを特徴とする請求項１に記載の画像表示用パネル。
【請求項３】
請求項１または請求項２に記載の画像表示用パネルを用い、各カラーセルにおいて選択された組み合わせの上面電極および下面電極を駆動させ、これにより、当該選択された組み合わせに対応する領域の電界状態を制御して当該領域に粒子群を収集させることにより、黒色表示が行われることを特徴とする画像表示方法。
【発明の詳細な説明】
【技術分野】
【０００１】
本発明は、画像表示用パネル、特に、２種類にカラー微小粉体が封入されたカラーセルの複数種類からなる画像表示用パネルおよびこれを用いた画像表示方法に関する。
【背景技術】
【０００２】
従来から、テレビやコンピュータの画像表示媒体としてＣＲＴが広く用いられており、また、近年は、画像表示媒体の小型化や省エネルギー化の要求から液晶パネルやプラズマディスプレイパネルが用いられ、さらには有機ＥＬ素子による新規な表示パネルの開発も盛んに行われている。
一方、画像表示媒体として太古から用いられてきた紙には、運搬性が高く、画像の視認性が良好であり、また画像表示のためのエネルギーが不要であるという特長がある。
【０００３】
このような紙の特長を有し、かつ、繰り返し画像表示を行うことができるという特性を具えた画像表示媒体として、電気泳動を利用した画像表示用パネルや粉体を用いた画像表示用パネルが提案されている（例えば、特許文献１、２等参照。）。
特に、粉体を用いた画像表示用パネル（以下、「粉体ディスプレイパネル」ともいう。）は、比較的簡単な構造で高い応答速度性が得られることなどから、電子ペーパーとして用いることができると期待されている。
【０００４】
しかしながら、このような粉体ディスプレイパネルにおいては、視認性の良好なカラー画像の表示が困難である、という問題がある。
例えば、従来から提案されているカラー画像用の粉体ディスプレイパネルは、図４に示されるように、イエロー粒子群３１Ｙおよびホワイト粒子群３１Ｗが封入されてなるイエローセル３１、マゼンタ粒子群３２Ｍおよびホワイト粒子群３２Ｗが封入されてなるマゼンタセル３２、シアン粒子群３３Ｃおよびホワイト粒子群３３Ｗが封入されてなるシアンセル３３、並びに、ブラック粒子群３４Ｂｋおよびホワイト粒子群３４Ｗが封入されてなるブラックセル３４の４種類のカラーセル３１〜３４が、１辺が２つのセルよりなる正方形状に規則的に配列されてなるピクセル３０が、多数、並列に規則的に配置されて構成されたものである。
この粉体ディスプレイパネルにおいては、例えばマゼンタ表示を行う場合には、全カラーセル３１〜３４の１／４に当たるマゼンタセル３２がカラー表示選択されてマゼンタのカラーを表示し、残りの３／４のカラーセル（イエローセル３１、シアンセル３３、黒色セル３４）はホワイト表示選択されてホワイトを表示することとなるため、全体としてカラー濃度が低く、十分な視認性が得られるカラー表示を行うことができない。
【０００５】
このようなカラー濃度の問題を解決するために、減法混色の３原色であるシアンとマゼンタ、イエロー、または加法混色の３原色であるレッド、グリーン、ブルーなどの有彩色とその補色の粒子群よりなるセル、有彩色とブラックの粒子群よりなるセル、およびホワイトとブラックの粒子群よりなるセルよりなるピクセルを用いることで、カラー濃度を向上させる粉体ディスプレイパネルが提案されている（例えば、特許文献３参照。）。
【０００６】
しかしながら、この粉体ディスプレイパネルにおいては、十分なカラー濃度が得られる一方、有彩色およびその補色を同時にカラー表示に用いることになるために十分な色調再現性が得られない、という問題がある。
【０００７】
また、十分なカラー濃度を得ることを目的として、例えば図５に示されるように、イエローセル３１、マゼンタセル３２、シンアセル３３の３種類のカラーセルが２つずつ、合計６つが、縦に２つ、横に３つ、長方形状に規則的に配列されたピクセル３５よりなる粉体ディスプレイパネルが考えられている。この粉体ディスプレイパネルにおいては、例えばマゼンタ表示を行う場合、全カラーセルの１／３に当たるマゼンタセル３２，３２がシアンのカラーを表示するため、全体として高いカラー濃度を得ることができる。
【０００８】
しかしながら、この粉体ディスプレイパネルにおいては、黒色表示がピクセル３５の各カラーセル３１，３１，３２，３２，３３，３３のすべてをカラー表示選択とすることによる混色により行われるところ、印刷のように黒色インキのみで表す場合に比べて白みがかった明るい黒色しか得られない、という問題がある。
【０００９】
【特許文献１】特開２００４−３４１１２３号公報
【特許文献２】特開２００３−１５６７７０号公報
【特許文献３】特開２００４−３０２３３９号公報
【発明の開示】
【発明が解決しようとする課題】
【００１０】
本発明は、以上のような事情に基づいてなされたものであって、その目的は、表示画像において十分なカラー濃度、白黒濃度および十分な色調再現性が得られて良好な画像の表示が行われる画像表示用パネルおよびこれを用いた画像表示方法を提供することを目的とする。
【課題を解決するための手段】
【００１１】
本発明の画像表示用パネルは、各々、イエロー粒子およびホワイト粒子よりなる電界が作用することにより移動可能な粒子群が封入されたイエローセル、マゼンタ粒子およびホワイト粒子よりなる電界が作用することにより移動可能な粒子群が封入されたマゼンタセル、並びにシアン粒子およびホワイト粒子よりなる電界が作用することにより移動可能な粒子群が封入されたシアンセルのカラーセルを含有するピクセルが黒色の背面板上に並列に配置され、
各カラーセルにおいて、Ｘ軸方向に伸びる複数の上面電極がＹ軸方向に離間して並列に配置されると共に、Ｙ軸方向に伸びる複数の下面電極がＸ軸方向に離間して並列に配置されていることを特徴とする。
【００１２】
本発明の画像表示用パネルにおいては、各カラーセル内における粒子群の体積占有率が５〜５０体積％であることが好ましい。
【００１３】
本発明の画像表示方法は、上記の画像表示用パネルを用い、各カラーセルにおいて選択された組み合わせの上面電極および下面電極を駆動させ、これにより、当該選択された組み合わせに対応する領域の電界状態を制御して当該領域に粒子群を収集させることにより、黒色表示が行われることを特徴とする。
【発明の効果】
【００１４】
本発明の画像表示用パネルおよび画像表示方法によれば、表示されたカラー画像において十分なカラー濃度が得られる上、黒色表示が、各カラーセルにおいて複数の上面電極および複数の下面電極からそれぞれ選択された１つずつを駆動させ、当該選択された組み合わせに対応する領域の電界状態を制御して各カラーセル中の粒子群をこの領域に収集させることにより、背面板の黒色が光学的に露出することによって行われるので、表示された画像において十分な黒色濃度が得られ、従って表示された画像において十分な色調再現性が得られて良好な画像の表示を行うことができる。
【発明を実施するための最良の形態】
【００１５】
以下、本発明の画像表示用パネルおよび画像表示方法について説明する。
【００１６】
図１は、本発明の画像表示用パネルを構成する一のピクセルの構成例を模式的に示す説明用斜視図である。
この画像表示用パネルは、電界の状態に従ってイエローまたはホワイトを択一的に表示するイエローセル１１、電界の状態に従ってマゼンタまたはホワイトを択一的に表示するマゼンタセル１２、並びに電界の状態に従ってシアンまたはホワイトを択一的に表示するシアンセル１３の３種類のカラーセルが２つずつ、合計６つのカラーセルが面方向に絶縁した状態で並列に規則的に配置されて構成されるピクセル１０が、多数、黒色の背面板１５上に面方向に並列に規則的に配置されたものであって、ピクセル１０を構成する各カラーセル１１〜１３の上下面には、後記に詳述するように、上面電極および下面電極がそれぞれ２つずついわゆるサンドイッチ電極として設けられている。
この画像表示用パネルにおいては、多数のピクセル１０の各々が選択された色の表示を行うことで、減法混色によりカラー、白、黒の多色表示が行われる。
【００１７】
各カラーセル１１〜１３は、カラー粒子よりなるカラー粒子群（イエロー粒子群１１Ｙ，マゼンタ粒子群１２Ｍまたはシアン粒子群１３Ｃ）およびホワイト粒子よりなるホワイト粒子群の、色の異なる２種類の粒子群がセル枠内に封入されたものであり、このカラー粒子群およびホワイト粒子群は互いに逆極性に帯電された状態とされている。
そして、上面電極および下面電極によって電界を作用させることにより、当該電界の向きに従って、各カラーセル１１〜１３内における天井側領域と床側領域とに背面板１５に垂直なＺ軸方向に互いに分離して収集されるよう、負極性に帯電した粒子群が正極性に帯電したセル枠の天井面および床面の一方に向かって静電力などによって引き寄せられると共に、正極性に帯電した例えば粒子群が負極性に帯電したセル枠の天井面および床面の他方に向かって静電力などによって引き寄せられ、これにより、当該カラーセル１１〜１３内における天井側領域の全域に収集された粒子群の色が表示され、また、作用される電界の状態が逆向きに制御されると、各カラーセル１１〜１３内において天井側領域と床側領域との両領域間をカラー粒子群およびホワイト粒子群が互い違いに移動して天井側領域と床側領域とに電界の向きの制御前とは異なる色の粒子群が互いに分離して収集されて電界の向きの制御前とは異なる色が表示される。
【００１８】
ピクセル１０を構成するイエローセル１１は、イエロー粒子よりなるイエロー粒子群１１Ｙおよびホワイト粒子よりなるホワイト粒子群１１Ｗの２種類の粒子群が封入されたものである。
ピクセル１０において、例えば、イエローを表示するよう電界が制御された場合には、すべての上面電極および下面電極が駆動されてイエロー粒子群１１Ｙがイエローセル１１内の天井側領域の全域に収集されると共にホワイト粒子群１１Ｗが当該イエローセル１１内の床側領域の全域に収集され、反射光による表示はイエローとなり、結局、イエローのカラーが表示される。一方、電界がホワイト表示に係る状態に制御された場合には、図１に示されるように、ホワイト粒子群１１Ｗがイエローセル１１内の天井側領域の全域に収集されると共にイエロー粒子群１１Ｙが当該イエローセル１１内の床側領域の全域に収集され、これにより白色が表示される。
【００１９】
また、マゼンタセル１２は、マゼンタ粒子よりなるマゼンタ粒子群１２Ｍおよびホワイト粒子群１２Ｗの２種類の粒子群が封入されたものであり、例えば、マゼンタを表示するよう電界が制御された場合には、すべての上面電極および下面電極が駆動されて、図１に示されるように、マゼンタ粒子群１２Ｍがマゼンタセル１２内の天井側領域の全域に収集されると共にホワイト粒子群１２Ｗが当該マゼンタセル１２内の床側領域の全域に収集され、反射光による表示はマゼンタとなり、結局、これによりマゼンタのカラーが表示され、一方、電界がホワイト表示に係る状態に制御された場合には、ホワイト粒子群１２Ｗがマゼンタセル１２内の天井側領域の全域に収集されると共にマゼンタ粒子群１２Ｍが当該マゼンタセル１２内の床側領域の全域に収集され、これにより白色が表示される。
【００２０】
また、シアンセル１３は、シアン粒子よりなるシアン粒子群１３Ｃおよびホワイト粒子群１３Ｗの２種類の粒子群が封入されたものであり、例えば、シアンを表示するよう電界が制御された場合には、すべての上面電極および下面電極が駆動されてシアン粒子群１３Ｃがシアンセル１３内の天井側領域の全域に収集されると共にホワイト粒子群１３Ｗが当該シアンセル１３内の床側領域の全域に収集され、反射光による表示はシアンとなり、結局、これによりシアンのカラーが表示され、一方、電界がホワイト表示に係る状態に制御された場合には、図１に示されるように、ホワイト粒子群１３Ｗがシアンセル１３内の天井側領域の全域に収集されると共にシアン粒子群１３Ｃが当該シアンセル１３内の床側領域の全域に収集され、これにより白色が表示される。
【００２１】
このようなカラーセル１１〜１３を構成するセル枠は、例えば立方体状のものとすることができ、少なくともその天井壁および床壁は、透明性を有するものから形成されている。
このようなカラーセル１１〜１３よりなるピクセル１０が並列に規則的に配置された画像表示用パネルのパネル本体は、例えば、対向する２枚の透明性シート間に所定間隔において隔壁を形成させ、これにより区画された領域に所定のカラー粒子群およびホワイト粒子群を封入することにより、形成することができる。得られる画像表示用パネルを例えば電子ペーパーとして利用する場合には、透明性シートを可撓性のあるものとすることが好ましい。
【００２２】
天井壁の厚みは、例えば２０〜２００μｍ、好ましくは５０〜１００μｍとされ、この厚みが過小であると、得られる画像表示用パネルを十分な強度を有するものとすることができない。一方、この厚みが過大であると、表示される画像において十分に鮮明な視認性が得られず、また、十分なコントラストを得ることができないことがある。
またカラーセル１１〜１３のサイズは適宜に設定されればよく、例えば左右方向に沿ったＸ軸方向の幅が２０〜２０００μｍ、奥行き方向に沿った、Ｘ軸方向と直角なＹ軸方向の奥行きが２０〜２０００μｍ、上下方向に沿った、Ｘ軸方向およびＹ軸方向と直角なＺ軸方向の高さが２０〜２００μｍとされる。
【００２３】
カラーセル１１〜１３に封入される粒子群１１Ｙ，１２Ｍ，１３Ｃ，１１Ｗ，１２Ｗ，１３Ｗは、例えば、樹脂、荷電制御剤、着色剤、およびその他添加剤を混練り粉砕することなどにより、得ることができる。
樹脂としては、従来公知の各種の樹脂を用いることができ、荷電制御剤としては、正帯電性の粒子とする場合には、４級アンモニウム塩系化合物、ニグロシン染料、トリフェニルメタン系化合物、イミダゾール誘導体などが挙げられ、負帯電性の粒子とする場合には、金属アゾ染料、サリチル酸金属錯体、ニトロイミダゾール誘導体などが挙げられる。
また、着色剤としては、従来公知の有機または無機の各種、各色の顔料、染料を使用することができる。
【００２４】
粒子群１１Ｙ，１２Ｍ，１３Ｃ，１１Ｗ，１２Ｗ，１３Ｗを構成する粒子の平均粒子径は例えば２．５〜２０μｍであり、サイズおよび形状のバラツキが小さいことが好ましい。
【００２５】
また、各カラーセル１１〜１３内における粒子群１１Ｙ，１２Ｍ，１３Ｃ，１１Ｗ，１２Ｗ，１３Ｗの体積占有率は、当該各カラーセル１１〜１３に配設された上面電極および下面電極の数に応じて適宜に設定することができ、例えば、上面電極および下面電極が２つずつ配設された場合、５〜５０体積％であることが好ましい。この体積占有率が過小であると、十分に鮮明な画像の表示を行うことができなくなり、体積占有率が過大であると、良好な黒色表示ができないおそれがある。
【００２６】
これらの各カラーセル１１〜１３においては、図２に示されるように、その上面に、Ｘ軸方向に伸びる複数、例えば２つの上面電極２０ａ，２０ｂが互いに絶縁した状態に、Ｙ軸方向に並列に配置されると共に、当該各カラーセル１１〜１３の下面に、Ｙ軸方向に伸びる複数、例えば２つの下面電極２５ａ，２５ｂが互いに絶縁した状態に、Ｘ軸方向に並列に配置されている。
各カラーセル１１〜１３においては、当該カラーセル１１〜１３の上面の全面が、前述の複数の上面電極によって覆われており、すなわち、配設された上面電極が２つである場合は、その幅（Ｘ軸方向長さ）が各カラーセル１１〜１３の幅と同じとされていると共に、その奥行き（Ｙ軸方向長さ）が各カラーセル１１〜１３の奥行きのほぼ１／２の幅とされている。
また、同様に、当該カラーセル１１〜１３の下面の全面が、前述の複数の下面電極によって覆われており、すなわち、配設された下面電極が２つである場合は、その幅（Ｘ軸方向長さ）が各カラーセル１１〜１３の幅のほぼ１／２の幅とされていると共に、その奥行き（Ｙ軸方向長さ）が各カラーセル１１〜１３の奥行きと同じとされている。
【００２７】
このような２つの上面電極２０ａ，２０ｂおよび２つの下面電極２５ａ，２５ｂから、１つの上面電極２０ａおよび１つの下面電極２５ａの組み合わせを選択して駆動させることにより、各カラーセル１１〜１３内において選択される組み合わせに対応する４パターンのＺ軸方向に伸びる小領域Ｒ1 〜Ｒ4 のうちの１つの小領域Ｒ1が指定される。
このように各カラーセル１１〜１３において、上面電極２０ａおよび下面電極２５ａがそれぞれ１つずつ選択されて駆動されることにより指定された小領域Ｒ1 においては、電界の状態に従って、図３に示されるように、カラーの粒子群とホワイト粒子群とが、その上部区域と下部区域とに背面板１５に垂直なＺ軸方向に互いに分離して収集される。
【００２８】
以上のような画像表示用パネルの各ピクセルは、次のように動作される。
すなわち、ピクセル１０において、イエロー表示を行う場合には、すべての上面電極２０ａ，２０ｂおよび下面電極２５ａ，２５ｂが駆動された状態において電界が制御されてイエローセル１１のイエロー粒子群１１Ｙが当該イエローセル１１の天井側領域の全域に収集されると共にホワイト粒子群１１Ｗが当該イエローセル１１の床側領域の全域に収集され、マゼンタセル１２のマゼンタ粒子群１２Ｍが当該マゼンタセル１２の床側領域の全域に収集されると共にホワイト粒子群１２Ｗが当該マゼンタセル１２の天井側領域の全域に収集され、シアンセル１３のシアン粒子群１３Ｃが当該シアンセル１３の床側領域の全域に収集されると共にホワイト粒子群１３Ｗが当該シアンセル１３の天井側領域の全域に収集され、これによりイエローセル１１のイエロー粒子群１１Ｙの色が反映されてイエロー表示が行われる。
同様に、マゼンタ表示は、マゼンタセル１２のマゼンタ粒子群１２Ｍの色を反映させるよう当該マゼンタ粒子群１２Ｍを当該マゼンタセル１２の天井側領域の全域に収集させると共に他のイエローセル１１のイエロー粒子群１１Ｙおよびシアンセル１３のシアン粒子群１３Ｃをそれぞれ床側領域の全域に収集させることにより行われ、シアン表示は、シアンセル１３のシアン粒子群１３Ｃの色を反映させるよう当該シアン粒子群１３Ｃを当該シアンセル１３の天井側領域の全域に収集させると共に他のイエローセル１１のイエロー粒子群１１Ｙおよびマゼンタセル１２のマゼンタ粒子群１２Ｍをそれぞれ床側領域の全域に収集させることにより、行われる。
【００２９】
また、白色表示は、すべてのカラーセル１１〜１３においてそれぞれホワイト粒子群１１Ｗ〜１３Ｗが天井側領域の全域にわたって収集されることにより、行われる。
そして、黒色表示は、ピクセル１０の各カラーセル１１〜１３において１つの上面電極２０ａおよび１つの下面電極２５ａが選択されて駆動され、この選択された組み合わせに対応して指定される小領域Ｒ1 の電界状態が制御されて当該小領域Ｒ1 の上部区域および下部区域に粒子群が収集されて退避されることにより、残りの３／４の領域Ｒ2〜Ｒ4 に係る床壁に背面板１５の黒色が光学的に露出してこれが反映され、これにより黒色表示が行われる。
このとき、各カラーセル１１〜１３のカラー粒子群１１Ｙ，１２Ｍ，１３Ｃが当該各カラーセル１１〜１３の小領域Ｒ1 ，Ｒ1 ，Ｒ1 における上部区域に収集されると共に、ホワイト粒子群１１Ｗ，１２Ｗ，１３Ｗが当該小領域Ｒ1，Ｒ1 ，Ｒ1 の下部区域に収集されてホワイト粒子群１１Ｗ，１２Ｗ，１３Ｗがカラー粒子群１１Ｙ，１２Ｍ，１３Ｃに隠蔽された状態とされる。
【００３０】
以上の画像表示用パネルによれば、表示されたカラー画像において十分なカラー濃度が得られながら、黒色表示が、各カラーセル１１〜１３において２つの上面電極２０ａ，２０ｂおよび２つの下面電極２５ａ，２５ｂからそれぞれ選択された１つずつを駆動させ、当該選択された組み合わせに対応する領域の電界状態を制御して各カラーセル１１〜１３中の粒子群１１Ｙ，１２Ｍ，１３Ｃ，１１Ｗ，１２Ｗ，１３Ｗをこの領域に収集させることにより、背面板１５の黒色が光学的に露出することによって行われるので、表示された画像において十分な黒色濃度が得られ、従って表示された画像において十分な色調再現性が得られて良好な画像の表示を行うことができる。
【００３１】
以上、本発明の実施の形態について具体的に説明したが、本発明の実施の形態は上記の例に限定されるものではなく、種々の変更を加えることができる。
【００３２】
例えば、各カラーセルに配設される上面電極および下面電極は、それぞれ２つずつに限定されるものではなく、２つ以上の複数であればよい。
ただし、各カラーセルにおける上面電極および下面電極の配設数が多ければ多いほど粒子群を退避させるべき小領域の大きさを小さくすることができ、これにより背面板の黒色を露出する床壁の領域が大きくすることができて黒色表示の鮮明性が高いものとなるが、各カラーセルにおける上面電極および下面電極の配設数が多ければ多いほど、当該各カラーセルに封入することができる粒子群の量が小さくなるので、カラー表示に係る鮮明性が低いものとなる。
このことから、上面電極および下面電極はそれぞれ２〜３つずつであることが好ましく、より好ましくは２つずつである。
【実施例】
【００３３】
以下、本発明の具体的な実施例について説明するが、本発明はこれらに限定されるものではない。
【００３４】
＜セル枠Ｓの作製例＞
下記構造式（ア）で表され、かつ、重量平均分子量３０，０００であるポリカーボネート（三菱ガス化学社製）２０質量部、およびテトラヒドロフラン（関東化学社製）１００質量部を混合して溶解させ、塗布法により設置し、１００℃で６０分間乾燥させてセル枠Ｓを作製した。
このセル枠Ｓは幅（Ｘ軸方向）２５０μｍ、奥行き（Ｙ軸方向）５００μｍ、高さ（Ｚ軸方向）１００μｍ、天井枠の厚み５０μｍであり、床壁の厚み５０μｍのものであった。
【００３５】
（樹脂微粒子分散液の調製例）
スチレン（和光純薬株式会社製）３５５質量部、アクリル酸ブチル（和光純薬株式会社製）４５質量部、アクリル酸（和光純薬株式会社製）８質量部、およびドデシルメルカプタン（和光純薬株式会社製）８質量部を混合して溶解させた単量体溶液を、非イオン性界面活性剤「ノニポール８．５」（三洋化成株式会社製）８質量部およびアニオン性界面活性剤「ネオゲンＲＫ」（第一工業製薬株式会社製）９質量部をイオン交換水５８３質量部に溶解させた界面活性剤溶液に乳化分散させ、この乳化分散液に、１０分間ゆっくりと混合しながら過硫酸アンモニウム（和光純薬株式会社製）４質量部をイオン交換水５０質量部に溶解させた開始剤溶液を添加し、窒素置換を行った後、撹拌しながら内温が７０℃になるまでオイルバスで加熱し、６時間継続して乳化重合処理を行い、その後、反応液を室温まで冷却し、樹脂微粒子分散液〔Ａ〕を調製した。
【００３６】
（着色剤分散液の調製例１）
フタロシアニン顔料「ＰＶ  ＦＡＳＴ  ＢＬＵＥ」（大日精化株式会社製）６０質量部を、アニオン性界面活性剤（和光純薬株式会社製）２質量部をイオン交換水３００質量部に溶解させた界面活性剤溶液にホモジナイザー「ウルトラタラックス」（ＩＫＡ社製）を用いて乳化分散させ、数平均一次粒子径１５０ｎｍで着色微粒子が分散された、シアンに係る着色剤分散液〔Ｂ〕を調製した。
【００３７】
（着色剤分散液の調製例２）
着色剤分散液の調製例１において、フタロシアニン顔料「ＰＶ  ＦＡＳＴ  ＢＬＵＥ」の代わりにマゼンタ顔料「Ｃ．Ｉ．ピグメントレッド  １２２」を用いたことの他は同様にして、数平均一次粒子径１５０ｎｍで着色微粒子が分散された、マゼンタに係る着色剤分散液〔Ｃ〕を調製した。
【００３８】
（着色剤分散液の調製例３）
着色剤分散液の調製例１において、フタロシアニン顔料「ＰＶ  ＦＡＳＴ  ＢＬＵＥ」の代わりにイエロー顔料「Ｃ．Ｉ．ピグメントイエロー  ７４」を用いたことの他は同様にして、数平均一次粒子径１５０ｎｍで着色微粒子が分散された、イエローに係る着色剤分散液〔Ｄ〕を調製した。
【００３９】
（着色剤分散液の調製例４）
着色剤分散液の調製例１において、フタロシアニン顔料「ＰＶ  ＦＡＳＴ  ＢＬＵＥ」の代わりにカーボンブラック「リーガル３３０」（キャボット社製）を用いたことの他は同様にして、数平均一次粒子径１５０ｎｍで着色微粒子が分散された、ブラックに係る着色剤分散液〔Ｅ〕を調製した。
【００４０】
（着色剤分散液の調製例５）
着色剤分散液の調製例１において、フタロシアニン顔料「ＰＶ  ＦＡＳＴ  ＢＬＵＥ」の代わりに酸化チタン「ＭＴ５００ＳＴ」（テイカ社製）を用いたことの他は同様にして、数平均一次粒子径１５０ｎｍで着色微粒子が分散された、ホワイトに係る着色剤分散液〔Ｆ〕を調製した。
【００４１】
（離型剤微粒子分散液の調製例）
ステアリン酸ステアリル（融点５８℃）１００質量部を、アニオン性界面活性剤「リパール８６０Ｋ」（ライオン株式会社製）３質量部をイオン交換水５００質量部に溶解させた界面活性剤溶液にホモジナイザー「ウルトラタラックス」（ＩＫＡ社製）を用いて乳化分散させ、圧力吐出型ホモジナイザーで分散処理して数平均一次粒子径１９０ｎｍで離型剤微粒子が分散された離型剤微粒子分散液〔Ｇ〕を調製した。
【００４２】
（吸収ピークシフト化物質分散液の調製例）
ステアリルステアレート「リケマールＳＬ−８００」（理研ビタミン社製）（融点５５℃、正接損失の吸収ピークに対する温度６９℃）１００質量部を、アニオン性界面活性剤「ネオゲンＳＣ」（第一工業製薬株式会社製）４質量部をイオン交換水５００質量部に溶解させた界面活性剤溶液にホモジナイザー「ウルトラタラックス」（ＩＫＡ社製）を用いて乳化分散させ、圧力吐出型ホモジナイザーで分散処理して数平均一次粒子径１９０ｎｍで吸収ピークシフト化物質が分散された吸収ピークシフト化物質分散液〔Ｈ〕を調製した。
【００４３】
＜カラー粒子の製造例１＞
（凝集粒子分散液の調製）
樹脂微粒子分散液〔Ａ〕３００質量部、シアンに係る着色剤分散液〔Ｂ〕１５質量部、離型剤微粒子分散液〔Ｇ〕３４質量部、吸収ピークシフト化物質分散液〔Ｈ〕６質量部、硫酸アルミニウム（和光純薬株式会社製）３質量部およびイオン交換水５００質量部を、丸型ステンレス製フラスコ中に収容し、ホモジナイザー「ウルトラタラックスＴ５０」（ＩＫＡ社製）によって分散処理し、さらに圧力吐出型ホモジナイザーで分散処理した後、加熱用オイルバス中で内温が５５℃になるまで撹拌しながら加熱した。内温５５℃において２０分間保持し、個数平均粒径が２．７μｍの凝集粒子が分散されてなる凝集粒子分散液〔Ｉ〕を得た。ここに、個数平均粒子径は、光学顕微鏡を用いて２，０００倍の倍率で個々の粒径を測定し、１００個の粒子の平均を算出したものである。
【００４４】
（シェル層の形成）
上記の凝集粒子分散液〔Ｉ〕中に、樹脂微粒子分散液〔Ａ〕４０質量部を穏やかに添加し、さらに内温５５℃において加熱・撹拌しながら１５分間保持し、個数平均粒径が３．０μｍのシェル層が形成された複合粒子が分散されてなる複合粒子分散液〔Ｊ〕を得た。この複合粒子分散液〔Ｊ〕のｐＨは２．３であった。
【００４５】
（複合粒子の融着）
上記の複合粒子分散液〔Ｊ〕に、硫酸（和光純薬株式会社製）を０．５質量％に希釈した硫酸溶液をゆっくりと添加してｐＨを７．２に調整した後、撹拌を継続しながら内温９３℃まで加熱した後６時間保持した。その後、反応生成物を濾過し、イオン交換水で十分に洗浄した後、真空乾燥機を用いて乾燥させることにより、シアン母体粒子を得た。
このシアン母体粒子に、疎水性シリカ０．８質量部、および疎水性酸化チタン１．０質量部を添加し、１０Ｌのヘンシェルミキサーを用いて、その回転翼の周速を３０ｍ／ｓｅｃに設定した条件下で２５分間混合し、シアン粒子よりなるシアン粒子群を得た。なお、これらの疎水性シリカおよび疎水性酸化チタン（外部添加剤）の添加によってその形状や粒径は変化しなかった。
【００４６】
＜カラー粒子の製造例２〜４＞
上記のカラー粒子の製造例１において、シアンに係る着色剤分散液〔Ｂ〕の代わりにそれぞれマゼンタに係る着色剤分散液〔Ｃ〕、イエローに係る着色剤分散液〔Ｄ〕、ブラックに係る着色剤分散液〔Ｅ〕を用いたことの他は同様にしてそれぞれマゼンタ粒子よりなるマゼンタ粒子群、イエロー粒子よりなるイエロー粒子群、黒色粒子よりなる黒色粒子群を得た。
【００４７】
＜画像表示用パネルの作製例１＞
セル枠Ｓに、上記のように作製したイエロー粒子群およびホワイト粒子群Ｗをそれぞれ５μｇずつ、体積占有率が２５体積％となるよう封入することにより、イエローセルＹＳを作製した。
同様にして、マゼンタ粒子群およびホワイト粒子群Ｗを使用してマゼンタセルＭＳを作製し、シアン粒子群およびホワイト粒子群Ｗを使用してシアンセルＣＳを作製した。
各カラーセルＹＳ、ＭＳ、ＣＳには、その上面に、幅（Ｘ軸方向）１１０μｍ、奥行き（Ｙ軸方向）５００μｍの酸化インジウム錫（ＩＴＯ）よりなる、Ｘ軸方向に伸びる上面電極を２つ、互いに絶縁するようＹ軸方向に離間して配設し、当該カラーセルＹＳ、ＭＳ、ＣＳの下面に、幅（Ｘ軸方向）２５０μｍ、奥行き（Ｙ軸方向）２４０μｍの酸化インジウム錫（ＩＴＯ）よりなる、Ｙ軸方向に伸びる下面電極を２つ、互いに絶縁するようＸ軸方向に離間して配設した。
これらのイエローセルＹＳ、マゼンタセルＭＳ、シアンセルＣＳを２つずつ、合計６個が図１に示される配置とされたピクセルを、縦に３０列、横に４０列、合計１２００個（カラーセル７２００個）、黒色の背面板上に、並列に規則的に配置することにより、画像表示用パネルＡを作製した。
【００４８】
＜画像表示用パネルの作製例２＞
セル枠Ｓに、上記のように作製した黒色粒子群、およびホワイト粒子群Ｗを、それぞれ５μｇずつ、体積占有率が２５体積％となるよう封入することにより、ブラックセルＢＳを作製した。このブラックセルＢＳ、および画像表示用パネルの作製例１と同様にして作製したイエローセルＹＳ、マゼンタセルＭＳ、シアンセルＣＳの４種類のカラーセルには、その上面に、幅（Ｘ軸方向）２５０μｍ、奥行き（Ｙ軸方向）５００μｍの酸化インジウム錫（ＩＴＯ）よりなる上面電極を１つ配設し、当該カラーセルの下面に、幅（Ｘ軸方向）２５０μｍ、奥行き（Ｙ軸方向）５００μｍの酸化インジウム錫（ＩＴＯ）よりなる下面電極を１つ配設した。
これらのイエローセルＹＳ、マゼンタセルＭＳ、シアンセルＣＳ、ブラックセルＢＳを１つずつ、合計４個が図４に示される配置とされたピクセルを、縦に４０列、横に４５列、合計１８００個（カラーセル７２００個）、背面板上に、並列に規則的に配置することにより、比較用の画像表示用パネルＢを作製した。
【００４９】
＜実施例１および比較例１＞
以上の画像表示用パネルＡおよび比較用の画像表示用パネルＢを用いて、それぞれイエロー表示、マゼンタ表示、シアン表示、ブラック表示、ホワイト表示、レッド表示、グリーン表示およびブルー表示を行い、それぞれの表示色の反射濃度を「マクベス濃度計  ＲＤ−９１８」（マクベス社製）を用いて測定すると共に、それぞれの色域を測定し、比較例１に係る色域のチャートにおける色再現範囲面積を１００とした場合の色再現範囲の相対面積を算出した。結果を表１および表２に示す。
【００５０】
【表１】
2008233190.tif 000003
【００５１】
【表２】
2008233190.tif 000004
【００５２】
以上より、実施例１に係る本発明の画像表示用パネルにおいては、比較例１に係る従来の画像表示用パネルに比して、カラー表示において高いカラー濃度が実現されながら、黒表示において高い黒色濃度が実現されることが確認された。
【図面の簡単な説明】
【００５３】
【図１】本発明の画像表示用パネルを構成する一のピクセルの構成例を模式的に示す説明用斜視図である。
【図２】図１のピクセルを構成する一のカラーセルに配設される上面電極および下面電極を上方から透視した状態で模式的に示す説明用図である。
【図３】図１の画像表示用パネルにおいて、黒色表示を行う場合のピクセルを模式的に示す説明用斜視図である。
【図４】従来の画像表示用パネルを構成するピクセルの一例を模式的に示す説明用斜視図である。
【図５】従来の画像表示用パネルを構成するピクセルの他の一例を模式的に示す説明用斜視図である。
【符号の説明】
【００５４】
１０  ピクセル
１１  イエローセル
１１Ｙ  イエロー粒子群
１１Ｗ，１２Ｗ，１３Ｗ  ホワイト粒子群
１２  マゼンタセル
１２Ｍ  マゼンタ粒子群
１３  シアンセル
１３Ｃ  シアン粒子群
１５  背面板
２０ａ，２０ｂ  上面電極
２５ａ，２５ｂ  下面電極
３０  ピクセル
３１  イエローセル
３１Ｙ  イエロー粒子群
３１Ｗ，３２Ｗ，３３Ｗ，３４Ｗ  ホワイト粒子群
３２  マゼンタセル
３２Ｍ  マゼンタ粒子群
３３  シアンセル
３３Ｃ  シアン粒子群
３４  ブラックセル
３４Ｂｋ  ブラック粒子群
３５  ピクセル
Ｒ1 〜Ｒ4   小領域
【図１】
2008233190.tif 000005
【図２】
2008233190.tif 000006
【図３】
2008233190.tif 000007
【図４】
2008233190.tif 000008
【図５】
2008233190.tif 000009